(57)【要約】【課題】ケーブル制振装置の製造コストを安価にすること、および、取付作業の簡易化【解決手段】ケーブル制振装置１０は、ケーブル４に取り付ける連結ロッド１１と、橋桁２に取り付ける基礎架台１２と、橋桁２と基礎架台１２との間に取り付ける角度スペーサ１３と、連結ロッド１１と基礎架台１２との間に取り付ける制振ゴム（ダンパ）１４とで構成したものである。このケーブル制振装置１０によれば、適切な角度スペーサ１３を選択することができ、また、連結ロッド１１の長さを調節することができるので取り付けが簡単である。また、このケーブル制振装置１０によれば、連結ロッドや基礎架台を斜張橋やエクストラドーズド橋などの各ケーブルに対して共通化できるので、これらの部材の量産効果により製造コストを安価にすることができる。【選択図】　　　　　　図１
2004068360.tif 000002
【特許請求の範囲】
【請求項１】
斜張橋等のケーブルと橋桁との間に架設され、前記ケーブルの制振を行う制振装置において、
橋桁に取り付けた基礎架台と、
前記基礎架台に取り付けた制振ゴムと、
前記制振ゴムに一端を取り付け、前記ケーブルに他端を取り付けた長さ調節可能な連結ロッドとを備えたケーブル制振装置。
【請求項２】
前記連結ロッドがねじを形成した第１ロッドと、前記第１ロッドが螺合するナット部を備えた第２ロッドとを有し、第１ロッドと第２ロッドの螺合量を調節することによって、長さ調節が可能なものであることを特徴とする請求項１に記載のケーブル制振装置。
【請求項３】
前記連結ロッドをケーブルに取り付ける締結部を、連結ロッドにボルト締結していることを特徴とする請求項２に記載のケーブル制振装置。
【請求項４】
前記連結ロッドをケーブルに取り付ける締結部を、ベアリングを介して連結ロッドに回転自在に取り付けていることを特徴とする請求項２に記載のケーブル制振装置。
【請求項５】
前記基礎架台と橋桁の上面との間に角度スペーサを取り付けて、基礎架台を所定の傾きに設置したことを特徴とする請求項１に記載のケーブル制振装置。
【請求項６】
前記角度スペーサが、複数の角度スペーサを組み合わせて基礎架台の角度を調節するものであることを特徴とする請求項５に記載のケーブル制振装置。
【請求項７】
前記基礎架台の基部に、制振ゴムを取り付ける取付部を一体的に設けたことを特徴とする請求項１又は５に記載のケーブル制振装置。
【発明の詳細な説明】
【０００１】
【発明の属する技術分野】
本発明は、斜張橋、エクストラドーズド橋、吊り橋など（斜張橋等）のケーブルの振動を抑制するケーブル制振装置に関するものである。
【０００２】
【従来の技術】
図５は斜張橋１の概略を示したものであって、同図で２は橋桁、３は支塔、４はケーブルである。斜張橋１は、橋桁２と支塔３との間に複数のケーブル４を架設している。斜張橋１のケーブル４は、風雨にさらされており、過励振やレインバイブレーションさらにはウェークギャロッピングなどの現象によって振動し、これが斜張橋１が揺れる一因になっている。
【０００３】
ケーブル４の振動を抑制するケーブル制振装置１００は、例えば、図６、７に示すように、ケーブル４を橋桁２に設置する部分に取り付けられており、ケーブル４に取り付けた連結ロッド１０１と、橋桁２に取り付けた基礎架台１０２と、連結ロッド１０１と基礎架台１０２との間に取り付けた制振ゴム（ダンパ）１０３とで構成したものである。
【０００４】
連結ロッド１０１は、中空鋼管からなり、上端にケーブル４を取り付ける分割リング状の締結部１０４を備え、下端に制振ゴム１０３を取り付けるプレート状の取付部１０５を備えている。
【０００５】
基礎架台１０２は、ケーブル４に向かって斜めに凸設した部材で、橋桁２にアンカーボルト（図示省略）などで取り付けたものであり、その上端には制振ゴム１０３を取り付けるＬ字型取付部材１０６を取り付けている。基礎架台１０２の周りには、雨水が内部に入らないように、カバー１０７が取り付けてある。
【０００６】
制振ゴム１０３は、高減衰性を有するゴム材料からなる、例えば、円柱状の部材であり、その両端に取付板１０８を加硫接着などにより一体的に取り付けたものである。
【０００７】
ケーブル制振装置１００は、橋桁２の上面に基礎架台１０２を取り付け、その上端にＬ字型取付部材１０６を取り付け、Ｌ字型取付部材１０６に制振ゴム１０３を取り付け、制振ゴム１０３に連結ロッド１０１の下端の取付部１０５を取り付け、連結ロッド１０１の上端の締結部１０４にケーブル４を取り付けている。ケーブル制振装置１００は、過励振やレインバイブレーションさらにはウェークギャロッピングにより生じるケーブル４の振動を制振ゴム１０３で吸収して、橋桁２に伝達される揺れを軽減する働きがある。このようなケーブル制振装置に関する発明としては特許２８４９５８９号公報に記載されるものなどが知られている。
【０００８】
【発明が解決しようとする課題】
斜張橋１のケーブル４は一本一本長さや設置角度が異なる。このため、ケーブル制振装置１００の連結ロッド１０１は一つ一つ長さが異なり、また、橋桁２に取り付ける基礎架台１０２の角度も異なっていた。このため、斜張橋のケーブル制振装置は、従来、受注生産方式で製造していた。また、取付工事でも、ケーブル一本毎に、特定されたケーブル制振装置を配置する管理を要していた。また、実際にケーブル制振装置を取り付ける場合には、設計との誤差があるため、取付作業で調整が必要であり、取付作業が煩雑になっていた。
【０００９】
そこで、本発明は、ケーブル制振装置に使用される部品を標準化して部品数を減じ、製造コストを安価にすること、および、取付作業の簡易化を図ることを目的としている。
【００１０】
【課題を解決するための手段】
本発明に係るケーブル制振装置は、斜張橋等のケーブルと橋桁との間に架設され、前記ケーブルの制振を行う制振装置において、橋桁に取り付けた基礎架台と、前記基礎架台に取り付けた制振ゴムと、前記制振ゴムに一端を取り付け、前記ケーブルに他端を取り付けた長さ調節可能な連結ロッドとを備えたものである。
【００１１】
このケーブル制振装置は、長さ調節可能な連結ロッドを採用したので、取付作業での微調整が簡単にでき、取付作業を簡易化することができる。また、連結ロッドの長さが調節できるので、連結ロッドを共通化でき、連結ロッドの量産効果により製造コストを安価にすることができる。
【００１２】
また、前記連結ロッドは、例えば、ねじを形成した第１ロッドと、前記第１ロッドが螺合するナット部を備えた第２ロッドとを有し、第１ロッドと第２ロッドの螺合量を調節することによって、長さ調節が可能なものを採用することができる。
【００１３】
この場合、連結ロッドをケーブルに取り付ける締結部を連結ロッドにボルト締結することにより、取付作業において微調整が簡単になる。
【００１４】
また、連結ロッドをケーブルに取り付ける締結部を、ベアリングを介して連結ロッドに回転自在に取り付けてもよい。この場合、締結部を、ベアリングを介して連結ロッドに取り付けるようにしたので、ケーブルを取り付ける角度の自由度が大きく、取付作業が簡単になる。
【００１５】
また、本発明のケーブル制振装置は、前記基礎架台と橋桁の上面との間に角度スペーサを取り付けて、基礎架台を所定の傾きに設置したことを特徴とする。このケーブル制振装置は、角度スペーサによって基礎架台の角度を調節するようにしたので、従来ケーブル毎に異なる角度で設計していた基礎架台を共通化することができ、部品の量産効果により製造コストを安価にすることができる。この場合、前記角度スペーサは、複数の角度スペーサを組み合わせて基礎架台の角度を調節するものにするとよい。これによれば、予め複数組み合わせて角度を調節することができるので、現場で角度スペーサの角度調整ができ、取付作業を簡易化できる。また、角度スペーサの共通化を図ることもでき、製造コストを安価にすることができる。
【００１６】
また、基礎架台の基部に、制振ゴムを取り付ける取付部を一体的に設けることにより、取付作業を簡易化することができる。
【００１７】
【発明の実施の形態】
以下、本発明の一実施形態に係るケーブル制振装置を図面に基づいて説明する。
【００１８】
ケーブル制振装置１０は、図１に示すように、ケーブル４に取り付ける連結ロッド１１と、橋桁２に取り付ける基礎架台１２と、橋桁２と基礎架台１２との間に取り付ける角度スペーサ１３と、連結ロッド１１と基礎架台１２との間に取り付ける制振ゴム（ダンパ）１４とで構成したものである。
【００１９】
連結ロッド１１は、下端にねじ部１５を形成した第１ロッド１６と、上端に第１ロッド１６のねじ部１５が螺合するナット部１７を備えた中空の第２ロッド１８とを備え、第１ロッド１６と第２ロッド１８を螺着させたロッドであり、その上端にケーブル４を取り付ける分割リング状の締結部１９を取り付けたものである。この連結ロッド１１の長さは、第１ロッド１６と第２ロッド１８の螺合量を調節することによって、調節することができる。第１ロッド１６の上端には分割リング状の締結部１９を取り付けるプレート状の第１取付部２０を設け、下端には制振ゴム１４を取り付けるプレート状の第２取付部２１を設けている。分割リング状の締結部１９は、下側にプレート状の取付部２２を備えており、分割リング状の締結部１９の取付部２２と第１ロッド１６の上端の取付部２０は、ボルトで締結されるようになっている。
【００２０】
基礎架台１２は、図２（ａ）（ｂ）に示すように、プレート状の基部２３の上面に、円筒状の取付部２４を一体的に設けたものである。取付部２４の内部には、制振ゴム１４を取り付ける一対の取付板２５，２６を対向させて配設している。
【００２１】
角度スペーサ１３は、橋桁２に対する基礎架台１２の角度を調整する部材であり、ケーブル４に対して所定の方向で基礎架台１２を取り付けるための部材である。角度スペーサ１３は、現場での微調整が可能なように、角度が異なるものを数種類、各複数用意しておくと良い。なお、この実施形態では、連結ロッド１１がケーブル４に直交する方向に沿って配設されるように適切な角度スペーサ１３を選択して取り付ける。
【００２２】
制振ゴム１４は、高減衰性を有するゴム材料からなる、例えば、円柱状の部材であり、その両端に取付板２７を加硫接着などにより一体的に取り付けたものである。なお、図中の２８は、基礎架台１２内に雨水が入るのを防ぐためのカバーである。
【００２３】
ケーブル制振装置１０は、図１に示すように、まず、ケーブル４に直交する方向を考慮して適切な角度スペーサを選択して、橋桁２の上に角度スペーサ１３を取り付ける。そして、角度スペーサ１３の上に基礎架台１２の基部２３を取り付ける。これにより、基礎架台１２の取付部２４は、ケーブル４に直交する方線方向に沿って配設される。次に、基礎架台１２の取付部２４に制振ゴム１４を取り付け、制振ゴム１４に連結ロッド１１の下端の取付部２１を取り付ける。そして、連結ロッド１１の上端の取付部２０に締結部１９を取り付け、ケーブル４までの距離に合わせて連結ロッド１１の長さを調節して、連結ロッド１１とケーブル４とを連結する。
【００２４】
このケーブル制振装置１０によれば、橋桁２と基礎架台１２との間に角度スペーサ１３を取り付けるようにしたので、適切な角度スペーサ１３を選択することができ、また、連結ロッド１１の長さを調節することができるので、取り付けが簡単である。また、連結ロッド１１とケーブル４とを締結する締結部１９が、連結ロッド１１にボルト締結できるので、取り付け作業の最終的な微妙な誤差も簡単に調節することができる。
【００２５】
また、このケーブル制振装置１０によれば、連結ロッドや基礎架台を斜張橋の各ケーブルに対して共通化できるので、これらの部材の量産効果により製造コストを安価にすることができる。
【００２６】
以上、本発明の一実施形態に係るケーブル制振装置を説明したが、本発明に係るケーブル制振装置は上記に限定されるものではない。
【００２７】
例えば、基礎架台１２に制振ゴム１４と連結ロッド１１の一端を取り付ける取付部として、円筒状の取付部２４を例示したが、基礎架台１２の取付部はこれに限定されず、例えば、図３（ａ）（ｂ）に示すように、角筒型の取付部３１にすることができる。この場合、内周面３２が平面であるから、内周面３２に制振ゴム１４を直接取り付けることができる。なお、基礎架台の取付部は上記のように筒状には限定されない。また、基礎架台は基部に従来と同様のＬ字型取付部材を取り付けたものでも良い。
【００２８】
また、角度スペーサ１３’は、図４に示すように、角度の異なる角度スペーサ３３をそれぞれ複数用意し、角度スペーサ３３を適宜に組み合わせて所望の角度に調整するようにするとよい。この場合、角度スペーサ３３の組み合わせ方によって、調節できる角度に自由度が生じ、取付作業現場でのケーブル制振装置１０の取り付け角度の微調整が容易になる。この場合、各角度スペーサ３３は、アンカーボルト（図示省略）等で固定するとよい。
【００２９】
また、連結ロッド１１の上端に取り付ける締結部１９は、連結ロッド１１の上端にボルトで締結する構造を例示したが、図４に示すように、締結部１９’の下端３４と、連結ロッド１１の上端３５との間にベアリング３６を介在させて連結ロッド１１の上端に取り付けても良い。この場合、締結部１９’を周方向に回転させることが出来るので、連結ロッド１１の螺合量を変えても、締結部１９’の向きを常にケーブル４の長さ方向に向けることができるから取付作業が容易になる。
【００３０】
また、連結ロッドは長さが調整できるロッド構造を備えていればよく、上記の実施形態に限定されるものではない。
【００３１】
【発明の効果】
本発明に係るケーブル制振装置は、長さ調節可能な連結ロッドを採用したので、取付作業での微調整が簡単にでき、取付作業を簡易化することができる。また、連結ロッドを共通化できるので、ケーブル毎に所定の長さの連結ロッドを製造する必要がなく、連結ロッドの量産効果により製造コストを安価にすることができる。
【００３２】
また、前記連結ロッドは、例えば、ねじを形成した第１ロッドと、前記第１ロッドが螺合するナット部を備えた第２ロッドとを有し、第１ロッドと第２ロッドの螺合量を調節することによって、長さ調節が可能なものにすることができる。この場合、螺合量を調節するだけで、取付作業での微調整が可能であり、取付作業を簡易化することができる。
【００３３】
連結ロッドをケーブルに取り付ける締結部を連結ロッドにボルト締結することにより、取付作業の微調整が簡単になる。
【００３４】
また、連結ロッドをケーブルに取り付ける締結部をベアリングを介して連結ロッドに回転自在に取り付けることにより、ケーブルを取り付ける角度の自由度が大きく、取付作業がさらに簡単になる。
【００３５】
また、本発明のケーブル制振装置は、基礎架台と橋桁の上面との間に角度スペーサを取り付けて、基礎架台を所定の傾きに設置したので、角度スペーサによって基礎架台の角度を調節することができ、従来ケーブル毎に異なる角度で設計していた基礎架台を共通化することができ、部品の量産効果により製造コストを安価にすることができる。
【００３６】
また、この場合、角度スペーサは、複数の角度スペーサを組み合わせて基礎架台の角度を調節するものにするとよい。これによれば、予め複数組み合わせて角度を調節することができるので、現場で角度スペーサの角度調整ができ、取付作業を簡易化できる。また、角度スペーサの共通化を図ることもでき、製造コストを安価にすることができる。
【００３７】
また、本発明のケーブル制振装置は、基礎架台の基部に、制振ゴムを取り付ける取付部を一体的に設けたので、取付作業を簡易化することができる。
【図面の簡単な説明】
【図１】本発明の第１実施形態に係るケーブル制振装置を示す断面図である。
【図２】（ａ）はケーブル制振装置の基礎架台を示す縦断面図であり、（ｂ）は基礎架台を示す平面図である。
【図３】（ａ）はケーブル制振装置の基礎架台の変形例を示す縦断面図であり、（ｂ）はその平面図である。
【図４】本発明に係るケーブル制振装置の変形例を示す断面図。
【図５】斜張橋を示す概略図。
【図６】ケーブル制振装置の外観を示す側面図。
【図７】ケーブル制振装置を示す断面図。
【符号の説明】
１　斜張橋
２　橋桁
３　支塔
４　ケーブル
１０　ケーブル制振装置
１１　連結ロッド
１２　基礎架台
１３　角度スペーサ
１４　制振ゴム
１５　ねじ部
１６　第１ロッド
１７　ナット部
１８　第２ロッド
１９　締結部
２０　第１取付部
２１　第２取付部
２２　取付部
２３　基部
２４　取付部
２５、２６　　取付板
２７　取付板
３１　角筒型の取付部
３２　内周面
３３　角度スペーサ
３６　ベアリング
【図１】
2004068360.tif 000003
【図２】
2004068360.tif 000004
【図３】
2004068360.tif 000005
【図４】
2004068360.tif 000006
【図５】
2004068360.tif 000007
【図６】
2004068360.tif 000008
【図７】
2004068360.tif 000009